(57)【要約】  【課題】本体から取り外し可能な部材を着脱しやすく、異なるニーズに応じて取り外し可能な部材を交換できる接続機構を提供する。  【解決手段】取り外し可能な部材を挿着するための挿着孔が設けられているハウジングと、上記ハウジングにスライド可能に接続し、出入孔及び前記出入孔と貫通する係止孔が設けられるスライドモジュールと、を備える本体と、挿着部品を含み、上記本体に接続する取り外し可能な部材とを備える。上記スライドモジュールが第一位置から第二位置にスライドするとき、上記出入孔は上記挿着孔に対向し、上記取り外し可能な部材の上記挿着部品は上記挿着孔を介して上記出入孔内に延伸し、上記スライドモジュールが第二位置から第一位置にスライドするとき、上記取り外し可能な部材の上記挿着部品は上記出入孔から上記係止孔に入り、それにより、上記スライドモジュールが上記係止孔を介して上記取り外し可能な部材をロックする。スライドモジュールの操作により、取り外し可能な部材と本体との間の着脱を実現し、着脱ツールを必要とせず、操作しやすい。  【選択図】図１
2019523844.tif 000002
【特許請求の範囲】
【請求項１】
取り外し可能な部材を挿着するための挿着孔が設けられたハウジングと、前記ハウジングにスライド可能に接続し、出入孔及び前記出入孔と貫通する係止孔が設けられたスライドモジュールと、を備える本体と、
挿着部品を含み、前記本体に接続する取り外し可能な部材と、
を備え、
前記スライドモジュールが第一位置から第二位置にスライドするとき、前記出入孔は前記挿着孔に対向し、前記取り外し可能な部材の前記挿着部品は前記挿着孔を介して前記出入孔内に延伸し、
前記スライドモジュールが第二位置から第一位置にスライドするとき、前記取り外し可能な部材の前記挿着部品は前記出入孔から前記係止孔に入り、前記スライドモジュールが前記係止孔を介して前記取り外し可能な部材をロックする、
ことを特徴とする接続機構。
【請求項２】
前記ハウジングは、アウターカバーと、インナーカバーとを備え、前記アウターカバーと前記インナーカバーにより装着チャンバを囲み、前記スライドモジュールは、前記装着チャンバ内に設けられ、前記挿着孔は、前記アウターカバーに設けられる、
ことを特徴とする請求項１に記載の接続機構。
【請求項３】
前記スライドモジュールは、スライダと、導電シート式圧縮バネとを備え、
前記スライダは、前記ハウジングにスライド可能に接続し、前記導電シート式圧縮バネは、前記スライダと連動する自由端と、前記ハウジングに固定される固定端とを備え、前記導電シート式圧縮バネの自由端が導電接続端から延出し、前記導電接続端に前記出入孔及び前記係止孔が設けられ、
外力の作用で、前記スライダが第一位置から第二位置にスライドすることにより、前記導電シート式圧縮バネは圧縮され、前記出入孔は前記挿着孔に対向し、前記取り外し可能な部材の前記挿着部品は前記挿着孔を介して前記出入孔内に延伸し、
前記外力がなくなると、前記スライダが前記導電シート式圧縮バネの復元力の作用で第二位置から第一位置にスライドすることにより、前記取り外し可能な部材の前記挿着部品は前記出入孔から前記係止孔に入り前記導電接続端と接触し、前記取り外し可能な部材は前記導電シート式圧縮バネと電気的に接続する、
ことを特徴とする請求項２に記載の接続機構。
【請求項４】
前記スライダは、スライドプレートと、前記スライドプレートに設けられるトグルポストと、スライド突起とを備え、
前記インナーカバーにトグル孔及び前記スライド突起と係合するスライド溝が設けられ、前記トグルポストは前記トグル孔内に延伸し、前記スライド突起は前記スライド溝に設けられ、前記スライドプレートと前記インナーカバーがスライド可能に接続する、
ことを特徴とする請求項３に記載の接続機構。
【請求項５】
前記導電シート式圧縮バネは、平行に設けられる２つの波状伸縮バネを含み、前記波状伸縮バネの一端は前記固定端で、他端は前記自由端であり、
前記固定端には、接続孔が設けられ、ネジが前記接続孔を貫通して前記固定端を前記インナーカバーに固定し、前記自由端から延出する前記導電接続端の前記係止孔の長手方向は、前記波状伸縮部材の伸縮方向と平行である、
ことを特徴とする請求項４に記載の接続機構。
【請求項６】
前記スライドプレートは、第一プレート表面及び第一プレート表面に対向する第二プレート表面を含み、
第一プレート表面には、前記トグルポストと前記スライド突起が設けられ、第二プレート表面には、Ｔ型バッフルが設けられ、前記Ｔ型バッフルは、側板とセパレータとを備え、前記Ｔ型バッフルは、前記第二プレート表面を２つの鏡面対称な領域に分割し、領域ごとには１つの波状伸縮バネが設けられ、前記セパレータは平行に設けられた２つの波状伸縮バネを分離し、
前記２つの波状伸縮バネの前記自由端は前記側板に当接する、
ことを特徴とする請求項５に記載の接続機構。
【請求項７】
前記側板には、ストッパ部が設けられ、
前記ストッパ部は、前記第二プレート表面と平行で、前記側板とストッパ溝を形成し、前記２つの波状伸縮バネの自由端は前記ストッパ溝内に位置する、
ことを特徴とする請求項６に記載の接続機構。
【請求項８】
前記ハウジングには、さらに電気的接続孔が設けられ、
前記スライドモジュールはさらに電気コネクタを含み、前記電気コネクタは前記本体に電気的に接続し、前記取り外し可能な部材の前記挿着部品は、ロッキング挿着部品及び導電挿着部品を含む、
ことを特徴とする請求項２に記載の接続機構。
【請求項９】
前記スライドモジュールには、突起構造付きの弾性片が設けられ、
前記ハウジングには、ロッキング溝とルーズ溝が設けられ、
前記スライドモジュールが第一位置から第二位置にスライドするとき、前記スライドモジュールは、前記弾性片を伴い前記突起構造を介して前記ルーズ溝内に延伸し、前記出入孔は前記挿着孔に対向し、前記ロッキング挿着部品は前記挿着孔を介して前記出入孔内に延伸し、前記導電挿着部品は前記電気的接続孔内に延伸しかつ前記電気コネクタに接続し、
前記スライドモジュールが第二位置から第一位置にスライドするとき、前記ロッキング挿着部品は前記出入孔から前記係止孔に入り、前記スライドモジュールは、前記弾性片を伴い前記突起構造を介して前記ロッキング溝内に延伸し、前記ロッキング溝により前記スライドモジュールの動きを制限する、
ことを特徴とする請求項８に記載の接続機構。
【請求項１０】
前記スライドモジュールは、さらにスライドプレートと、前記スライドプレートに設けられるトグルポストとを備え、
前記ハウジングには、トグル孔と、前記スライドプレートと係合するスライド溝が設けられ、前記トグルポストは、前記トグル孔を貫通して外に延出し、前記スライドプレートは、前記スライド溝を通過して前記ハウジングとスライド可能に接続する、
ことを特徴とする請求項９に記載の接続機構。
【請求項１１】
前記トグルポストは、支持部と、操作部とを備え、
前記トグルポストは、前記支持部を介して前記スライドプレートに接続し、前記操作部は、前記トグル孔から延出しかつ前記取り外し可能な部材の方向に折り曲げられ、前記トグル孔が位置する平面と平行になる、
ことを特徴とする請求項１０に記載の接続機構。
【請求項１２】
前記アウターカバーには、第一位置決めポストが設けられ、前記インナーカバーには、第二位置決めポストが設けられ、
前記スライドモジュールには、長円状の位置決め孔が設けられ、前記電気コネクタには、装着孔が設けられ、
前記第二位置決めポストは、前記長円状の位置決め孔内に延伸し、順次前記装着孔及び前記長円状の位置決め孔を貫通する第一位置決めポストとスリーブ状に形成されている、
ことを特徴とする請求項９に記載の接続機構。
【請求項１３】
前記取り外し可能な部材にはバックル部材が設けられ、前記ロッキング挿着部品と前記導電挿着部品が前記バックル部材に設けられ、
前記スライドモジュールは、トグルポストと、スライドプレートとを備え、前記スライドプレートには、前記出入孔、前記係止孔及び前記導電挿着部品が貫通する貫通孔が設けられ、前記スライドプレートは前記トグルポストと一体的に接続し、
前記トグルポストを押すと、前記出入孔は前記挿着孔に対向し、前記取り外し可能な部材の前記ロッキング挿着部品は、前記挿着孔を介して前記出入孔内に延伸し、前記導電挿着部品は、前記電気的接続孔内に延伸して前記電気コネクタに接続し、押圧力がなくなると、前記取り外し可能な部材の前記ロッキング挿着部品は、前記出入孔から前記係止孔に入り、前記スライドモジュールが前記係止孔を介して前記取り外し可能な部材をロックする、
ことを特徴とする請求項８に記載の接続機構。
【請求項１４】
前記スライドプレートの縁部にガイドフィンが設けられ、前記ハウジングに対応してスライド溝が設けられ、前記ガイドフィンは前記スライド溝内に嵌め込まれる、
ことを特徴とする請求項１３に記載の接続機構。
【請求項１５】
前記トグルポストは、キー本体と、キー本体をリセットするための弾性リセット部材とを備え、前記キー本体は、一体に固定された押圧部とストッパ部とを含み、
凹溝が前記ハウジングの一側面に開設され、前記凹溝の上壁にトグル孔が開設され、前記押圧部は前記トグル孔内に穿設されかつ前記押圧部の上端は前記トグル孔から突出し、前記ストッパ部は、前記凹溝の上壁の内側面に当接し、前記スライドプレートは、前記凹溝内に位置しかつ前記ストッパ部の下方で前記ストッパ部に固着する、
ことを特徴とする請求項１３に記載の接続機構。
【請求項１６】
前記凹溝内に弾性リセット部材収容溝がさらに設けられ、前記弾性リセット部材収容溝にはシリコーンスリーブが埋設され、前記弾性リセット部材は、下端が前記シリコーンスリーブ内に配置され、上端が前記ストッパ部の底面に当接する、
ことを特徴とする請求項１５に記載の接続機構。
【請求項１７】
前記ストッパ部の底面にはガイドポストが設けられ、前記弾性リセット部材はバネであり、前記ガイドポストに挿通する、
ことを特徴とする請求項１６に記載の接続機構。
【請求項１８】
前記出入孔と前記係止孔は、逆Ｌ字状の係合溝を形成し、前記ロッキング挿着部品は、前記スライドプレートと直交するＬ字状のバックルである、
ことを特徴とする請求項１５に記載の接続機構。
【請求項１９】
前記導電挿着部品は、ポゴピン装着部及び前記ポゴピン装着部に取り付けられたポゴピンを含み、
前記電気コネクタには銅露出領域が設けられ、前記ポゴピンは前記銅露出領域と接触する、
ことを特徴とする請求項１３ないし１８のいずれか一項に記載の接続機構。
【請求項２０】
前記取り外し可能な部材に位置決め板が固設され、前記位置決め板は、前記バックル部材を前記取り外し可能な部材内に位置決めし、前記位置決め板には、前記ロッキング挿着部品及び前記導電挿着部品を避けて空洞部が設けられる、
ことを特徴とする請求項１９に記載の接続機構。
【発明の詳細な説明】
【技術分野】
【０００１】
「関連出願の相互参照」
本願は、２０１７年６月２１日に出願され、「接続機構」と題する中国特許出願第２０１７１０４７６２１９．２号、２０１７年８月３０日に出願され、「接続機構」と題する中国特許出願第２０１７１０７６３５９２．６号、及び２０１７年８月３０日に出願され、「接続機構及び仮想現実装置」と題する中国特許出願第２０１７１０４７６３６４３．５号とを参照とし、当該出願の全体が参照によりここに組み込まれる。
【０００２】
本発明は、ウェアラブル装置に関し、具体的には、ウェアラブル装置の接続機構に関するものである。
【背景技術】
【０００３】
ＶＲ（ｖｉｒｔｕａｌ  ｒｅａｌｉｔｙ、仮想現実）製品の流行に伴い、市場において数多くの仮想現実関連の頭部着用型装置が販売されている。大多数の製品では、製品機能及び着用の快適性を図るための、仮想現実関連の頭部着用型装置とマッチングできるヘッドセットが設計されていない。
【０００４】
現在、ＶＲ体験者によく使用されているＶＲヘッドセットにはヘッドホンとイヤホンの２種類ある。しかしながら、ヘッドホンをＶＲ装置と一緒に着用すれると、その重さで頭に圧力がかかり、着用の快適さが得られない。イヤホンの構造形態ではヘッドホンの音質と音響効果を有しない。ヘッドホンであってもイヤホンであってもＶＲ装置と一緒に着用することは不便である。
【先行技術文献】
【特許文献】
【０００５】
【特許文献１】中国特許出願第２０１７１０４７６２１９．２号
【特許文献２】中国特許出願第２０１７１０７６３５９２．６号
【特許文献３】中国特許出願第２０１７１０４７６３６４３．５号
【発明の概要】
【発明が解決しようとする課題】
【０００６】
上記課題に鑑み、本願発明では、取り外し可能な部材を本体から着脱しやすく、さらに異なるニーズに応じて取り外し可能な部材を交換する接続機構を提供する。
【課題を解決するための手段】
【０００７】
従来技術の技術的問題を解決するために、本願発明は、取り外し可能な部材を挿着するための挿着孔が設けられているハウジングと、前記ハウジングにスライド可能に接続されており、出入孔及び前記出入孔と貫通する係止孔が設けられているスライドモジュールと、を備える本体と、挿着部品を含み前記本体に接続される取り外し可能な部材とを備え、前記スライドモジュールが第一位置から第二位置にスライドする場合、前記出入孔は前記挿着孔に対向し、前記取り外し可能な部材の前記挿着部品は前記挿着孔を介して前記出入孔内に延伸し、前記スライドモジュールが第二位置から第一位置にスライドする場合、前記取り外し可能な部材の前記挿着部品は前記出入孔から前記係止孔に入り込み、それによって前記スライドモジュールは前記係止孔を介して前記取り外し可能な部材をロックさせる接続機構を提供する。
【発明の効果】
【０００８】
本発明の提供する技術的解決手段は、スライドモジュールの操作により、取り外し可能な部材と本体との間の取り外しを実現し、操作しやすく、装置において取り外し可能な部材を容易に交換でき、交換用のツールを使用する必要がない。このように本発明では、取り外し可能な部材の着脱の利便性が実現され、異なるニーズに適用することができる。。
【０００９】
本発明、又は従来技術における技術的解決手段をより明確に説明するため、以下に、実施例又は従来技術の説明において必要な図面を用いて、簡単に説明する。以下に記載の図面は、本発明の実施例の一例にすぎず、当業者が創造的な活動によらず、これらの図面に基づいて他の図面に想到できることは明らかである。
【００１０】
ここで説明する図面は、本願の実施例をより理解しやすくするためのものであり、本願の実施例の一部を構成し、本願の実施例の例示的な実施例及びその説明は本願の実施例の解釈に用いられ、特に本願の実施例を不適切に限定するものではない。
【図面の簡単な説明】
【００１１】
【図１】本願の実施例１における接続機構の構造模式図である。
【図２】本願の実施例２における接続機構の局所的な分解構造を示す模式図である。
【図３】本願の実施例２における導電シート式圧縮バネの装着構造を示す模式図である。
【図４】本願の実施例２におけるスライドモジュール及びインナーカバーの分解構造を示す模式図である。
【図５】本願の実施例２における導電シート式圧縮バネの構造を示す模式図である。
【図６】本願の実施例２におけるカバープレートの装着構造を示す模式図である。
【図７】本願の実施例２における取り外し可能な部材の構造を示す模式図である。
【図８】本願の実施例２における取り外し可能な部材の装着構造を示す模式図である。
【図９】本願の実施例２における取り外し可能な部材の装着構造を示す透視図である。
【図１０】本願の実施例３における接続機構の分解構造を示す模式図である。
【図１１】本願の実施例３におけるスライドモジュールの構造を示す模式図である。
【図１２】本願の実施例３におけるアウターカバーの構造を示す模式図である。
【図１３】本願の実施例３におけるハウジング及び取り外し可能な部材の局所的な断面を示す模式図である。
【図１４】本願の実施例３における取り外し可能な部材の構造を示す模式図である。
【図１５】本願の実施例３における取り外し可能な部材の局所的な断面を示す模式図である。
【図１６】本願の実施例３におけるインナーカバーの構造を示す模式図である。
【図１７】本願の実施例３における接続機構の装着状態を示す透視図である。
【図１８】本願の実施例３における接続機構の取り外し状態を示す透視図である。
【図１９】本願の実施例４における接続機構の局所的な立体構造を示す図である（ハウジングの外側面から見た図）。
【図２０】本願の実施例４における接続機構の局所的な立体構造を示す図である（ハウジングの内側面から見た図）。
【図２１】図２０の分解構造図である。
【図２２】本願の実施例４における接続機構の装着構造を示す模式図である。
【図２３】図２０の内部構造を示す模式図である。
【図２４】本願の実施例４における接続機構の挿着部品と係止孔との締結状態の構造を示す模式図である（取り外し可能な部材は局所のみを示す）。
【図２５】本願の実施例４においてスライドプレートがトグルポストの押圧により移動して挿着部品を係止孔から離脱させる時の構造を示す模式図である（取り外し可能な部材は局所のみを示す）。
【図２６】本願の実施例４において取り外し可能な部材がハウジングから分離する時の構造を示す模式図である。
【発明を実施するための形態】
【００１２】
本発明の目的、技術的解決手段及び利点をより明確にするために、以下に図面を参照して、本発明の実施例による技術的解決手段を明確、完全に説明する。説明する実施例は、すべての実施例ではなく、本発明の実施例の一部にすぎず、本発明の実施例に基づき、当業者が創造的な活動によらず、想到するその他の実施例は、いずれも本発明の保護範囲に属することは明らかである。
【００１３】
現在、ＶＲ体験者によく使用されているＶＲヘッドセットはいずれも外部コードによってＶＲ装置に接続する必要がある。さらに、ヘッドホンは重く、着用する時に頭に圧力がかかり、イヤホンは音質も音響効果も低いた。このような従来技術の課題を解決するために、本発明では、取り外し可能な部材を本体から着脱しやすく、各種ニーズに応じて、取り外し可能な部材を交換できる接続機構を提供する。
【００１４】
以下、図面と実施例を組み合わせて本発明の実施形態について詳細に説明する。これらにより、本願の実施例において、技術的手段を応用して技術的問題を解決し技術的効果を達成するプロセスを十分に理解することができ、かつそれに基づいて本発明を実施することができる。以下、図面と組み合わせて本発明の構造をさらに詳細に説明する。
【実施例１】
【００１５】
図１は、本願の実施例１における接続機構の構造を示す模式図である。図１に示すように、本願の実施例は、本体１０と、本体１０に接続される取り外し可能な部材２０とを備える接続機構である。ここで、本体１０は、ハウジング１１と、スライドモジュール３０とを備え、ハウジング１１には取り外し可能な部材２０を挿着するための挿着孔１２が設けられている。スライドモジュール３０は、図２、図１１又は図２１に示すような様々な形態で実現可能である。挿着孔１２の実現形態は、図２、図１０又は図２１を参照でき、スライドモジュール３０及び挿着孔１２の具体的な実施形態は、実施例２、実施例３及び実施例４を参照できる。
【００１６】
スライドモジュール３０は、ハウジング１１にスライド可能に接続され、かつスライドモジュール３０には、出入孔３１及び出入孔３１と貫通する係止孔３２が設けられている。出入孔３１及び係止孔３２は、図３、図１１又は図２１に示すような様々な形態で実現可能であり、出入孔３１及び係止孔３２の具体的な実施形態は、実施例２、実施例３及び実施例４を参照できる。
【００１７】
取り外し可能な部材２０は、挿着部品２１を含み、挿着部品２１は、図２、図１４又は図２１に示すような様々な形態で実現可能である。挿着部品２１の具体的な実施形態は、実施例２、実施例３及び実施例４を参照できる。スライドモジュール３０が第一位置から第二位置にスライドする場合、出入孔３１は挿着孔１２に対向し、取り外し可能な部材２０の挿着部品２１は挿着孔１２を介して出入孔３１内に延伸する。スライドモジュール３０が第二位置から第一位置にスライドする場合、取り外し可能な部材２０の挿着部品２１は出入孔３１から係止孔３２に入り込み、それによってスライドモジュール３０は係止孔３２を介して取り外し可能な部材２０をロックする。
【００１８】
本実施例の技術的解決手段は、スライドモジュール３０の操作により、取り外し可能な部材２０と本体との取り外しを実現する。操作しやすく、装置で取り外し可能な部材２０を容易に交換しやすく、交換用のツールを使用する必要がない。そのため、取り外し可能な部材２０の着脱に利便性が得られ、異なる要求にも適応できる。
【００１９】
本体から、取り外し可能な部材２０を取り外すプロセスは上述した装着プロセスに類似している。スライドモジュール３０を第一位置から第二位置にスライドさせると、取り外し可能な部材２０の挿着部品２１が係止孔３２から出入孔３１に入り込み、出入孔３１は挿着孔１２に対向し、取り外し可能な部材２０を引き出すと、取り外し可能な部材２０と本体との分離が完了する。本発明の一実施形態では、ハウジング１１は、アウターカバー１３及びインナーカバー１４を含み、アウターカバー１３とインナーカバー１４は、図２又は図１０に示すような様々な形態で実現可能である。アウターカバー１３とインナーカバー１４の具体的な実現形態は、実施例２、実施例３を参照できる。アウターカバー１３とインナーカバー１４により装着チャンバを囲む。装着チャンバ内に接続モジュールが設けられており、アウターカバー１３に挿着孔１２が設けられている。さらなる実施形態では、インナーカバー１４をカバープレート４５に変更し、カバープレート４５はスライドモジュール３０を遮蔽するために用いられる。カバープレート４５の実現形態は、図２１に示され、具体的な実施形態は、実施例４を参照できる。
【００２０】
本願の実施例において、スライドモジュール３０と取り外し可能な部材２０は、様々な形態で接続可能である。以下、スライドモジュール３０と取り外し可能な部材２０との接続形態について説明する。
【実施例２】
【００２１】
図２は本願の実施例２における接続機構の局所的な分解構造を示す模式図であり、図３は本願の実施例２における導電シート式圧縮バネの装着構造を示す模式図である。図１−３に示すように、実施例２は実施例１に基づく、接続機構の実現可能な形態である。具体的には、本願の実施例は、本体１０と、本体１０に接続される取り外し可能な部材２０とを備える接続機構を提供する。ここで、本体１０は、ハウジング１１と、スライドモジュール３０とを備え、ハウジング１１には取り外し可能な部材２０を挿着するための挿着孔１２が設けられている。スライドモジュール３０は、スライダ及び導電シート式圧縮バネ３３を含む。スライダはハウジング１１にスライド可能に接続されており、導電シート式圧縮バネ３３は、自由端３３１及び固定端３３２を含み、自由端３３１はスライダと連動し、固定端３３２はハウジング１１に固定され、導電シート式圧縮バネ３３の自由端３３１は導電接続端３３３から延出し、導電接続端３３３には出入孔３１及び出入孔３１と貫通する係止孔３２が設けられている。
【００２２】
外力の作用で、スライダが第一位置から第二位置にスライドすることによって、出入孔３１は挿着孔１２に対向し、取り外し可能な部材２０の挿着部品２１は挿着孔１２を介して出入孔３１内に延伸する。外力がなくなると、導電シート式圧縮バネ３３の復元力の作用で、スライダが第二位置から第一位置にスライドすることによって、取り外し可能な部材２０の挿着部品２１は出入孔３１から係止孔３２に入り導電接続端３３３と接触する。それにより取り外し可能な部材２０が導電シート式圧縮バネ３３と電気的に接続される。なお、ハウジング１１にはさらに回路基板が設けられており、回路基板はそれぞれ本体と導電シート式圧縮バネ３３の固定端３３２に接続する。それにより導電シート式圧縮バネ３３と本体との電気的接続を実現させる。
【００２３】
本体から取り外し可能な部材２０を取り外すプロセスは上述した装着プロセスに類似するため、ここで説明を省略する。挿着部品２１、導電シート式圧縮バネ３３及び回路基板によって取り外し可能な部材２０と本体との電気的接続が実現される。取り外し可能な部材２０には外部に露出するコードがなく、接続機構全体の構造を簡略化できる。
【００２４】
以下、本発明の実施形態による接続機構についてさらに詳細に説明する。
【００２５】
図２及び図４に示すように、スライダは、スライドプレート４０と、スライドプレート４０に設けられているトグルポスト４１と、スライド突起４２とを備える。具体的には、ハウジング１１のインナーカバー１４にはトグル孔１５及びスライド突起４２と係合して使用するスライド溝１６が設けられており、トグルポスト４１はトグル孔１５内に延伸し、スライド突起４２はスライド溝１６に設置されスライドプレート４０とインナーカバー１４とのスライド可能な接続を実現する。
【００２６】
インナーカバー１４とアウターカバー１３は様々な形態で接続可能である。本発明の一実施形態では、超音波溶着により、インナーカバー１４とアウターカバー１３を固定させ、アウターカバー１３に挿着孔１２を設け、取り外し可能な部材２０を挿着孔１２を介してスライドモジュール３０に接続してもよい。
【００２７】
スライドプレート４０のインナーカバー１４に対向する側には、スライド突起４２及びトグルポスト４１が設けられている。一実施形態では、スライド突起４２が２つ、トグルポスト４１の両側に対称的に設ける。これに対応して、スライド溝１６も２つとし、スライド突起４２は、スライド溝１６内に設置され、スライド溝１６内においてスライドすることができる。トグル孔１５の位置は、トグルポスト４１の位置に対応し、トグルポスト４１は、トグル孔１５内に延伸し、トグル孔１５内においてスライドすることができる。使用する時、外力の作用で、トグルポスト４１をトグル孔１５内においてスライドさせ、トグルポスト４１はスライド突起４２を介してスライド溝１６内においてスライドプレート４０をスライドさせる。
【００２８】
図３及び図５に示すように、本願の実施例において、導電シート式圧縮バネ３３は、２つあり、電気的に接続する時、それぞれ電気信号の正負極に接続されるために用いられる。導電シート式圧縮バネ３３の表面には、金属めっきが施されている。例えば、導電シート式圧縮バネ３３の表面に銅めっきが施され、銅めっきによって導電シート式圧縮バネ３３の耐摩耗性を高め、錆びが出にくくなり、かつ導電性を高めることができる。導電シート式圧縮バネ３３は、平行に設けられている２つの波状伸縮バネ３３４を含み、波状伸縮バネ３３４の一端は固定端３３２であり、他端は自由端３３１である。導電シート式圧縮バネ３３の自由端３３１がスライダと連動する場合、導電シート式圧縮バネ３３は、波状伸縮バネ３３４を介して復元力を提供する。
【００２９】
固定端３３２には、接続孔３３５が設けられており、ネジは接続孔３３５を貫通して固定端３３２をインナーカバー１４に固定する。具体的には、回路基板は、メインボードと２つの導電端子とを備え、回路基板の２つの導電端子には、接続孔３３５に対応する貫通孔が設けられている。インナーカバー１４には装着溝が設けられており、回路基板のメインボードがインナーカバー１４の装着溝内に接着され、２つの導電端子が２つの導電シート式圧縮バネ３３の固定端３３２にそれぞれ接続される。２つの導電端子が導電シート式圧縮バネ３３の下に押圧され、回路基板の２つの導電端子と導電シート式圧縮バネ３３との接触部分の表面に露出銅が付着することにより、回路基板からの正負信号が導電シート式圧縮バネ３３に伝送される。導電シート式圧縮バネ３３と回路基板上の露出銅との直接接触により導電し、電気コネクタを省略できるため、設計空間を削減させることができる。ネジは、固定端３３２に設けられている接続孔３３５及び導電端子上の貫通孔を貫通してインナーカバー１４に接続し、導電シート式圧縮バネ３３の固定端３３２と回路基板の導電端子が固定される。
【００３０】
導電シート式圧縮バネ３３の自由端３３１とスライダが連動する場合、ヘッドセットの挿着部品２１は、出入孔３１から係止孔３２に順調に挿入される。妨害を避けるために、自由端３３１から延出する導電接続端３３３の係止孔３２の長手方向は、波状伸縮バネ３３４の伸縮方向と平行としてある。
【００３１】
図４及び図５に示すように、スライドプレート４０は、第一プレート表面及び第一プレート表面に対向する第二プレート表面を含む。第一プレート表面には、トグルポスト４１とスライド突起４２が設けられている。本実施例において、２枚の導電シート式圧縮バネ３３が設けられており、２枚の導電シート式圧縮バネ３３の接触による短絡現象の発生を回避するために、第二プレート表面には、Ｔ型バッフル４３が設けられている。Ｔ型バッフル４３は、側板４３１とセパレータ４３２とを備える。Ｔ型バッフル４３は、第二プレート表面を２つの鏡面対称の領域に分割し、領域ごとに１つの波状伸縮バネ３３４が設けられている。セパレータ４３２は平行に設けられている２つの波状伸縮バネ３３４を隔て、２つの波状伸縮バネ３３４の自由端３３１は側板４３１に当接する。
【００３２】
具体的には、スライダが外力の作用でスライドする場合、導電シート式圧縮バネ３３の自由端３３１が側板４３１に押されて移動する。外力がなくなると、導電シート式圧縮バネ３３の自由端３３１が、側板４３１を押してスライダを伴い移動する。２つの導電シート式圧縮バネ３３は、セパレータ４３２により隔てられているため、正負極の信号間の短絡は生じない。
【００３３】
再び図５に戻る。導電シート式圧縮バネ３３の伸縮時に自由端３３１が側板４３１から離脱しないようにするために、側板４３１にはストッパ部材４３３が設けられている。ストッパ部材４３３は、第二プレート表面と平行であるため、側板４３１とストッパ溝を形成し、２つの波状伸縮バネ３３４の自由端３３１はストッパ溝内に位置する。
【００３４】
図２及び図６に示すように、固定板４４も含まれている。固定板４４は、インナーカバー１４に接続し、かつスライダ及び導電シート式圧縮バネ３３は固定板４４とインナーカバー１４との間に挟まれる。導電シート式圧縮バネ３３は固定板４４に覆われており、かつ固定板４４は、ネジによりインナーカバー１４に固定接続する。このとき、固定板４４は、スライダと導電シート式圧縮バネ３３を、インナーカバー１４との間に挟む。固定板４４は、ＰＯＭ（ポリホルムアルデヒド、ｐｏｌｙｆｏｒｍａｌｄｅｈｙｄｅ）材質で製造されてもよいが、これに限定されるものではない。ＰＯＭ材質の表面は滑らかで耐摩耗性が高いため、導電シート式圧縮バネ３３は滑らかにスライドすることができる。一実施形態において、固定板４４は、Ｔ字型であり、二重連結板と単一連結板とを備え、二重連結板を介して２つの波状伸縮バネ３３４の固定端３３２をインナーカバー１４に固定する。単一連結板は、２つの導電接続端３３３の間に位置してインナーカバー１４に接続される。
【００３５】
本実施例において、本体は、頭部着用型ＶＲ（Ｖｉｒｔｕａｌ  Ｒｅａｌｉｔｙ、仮想現実）装置／ＡＲ（Ａｕｇｍｅｎｔｅｄ  Ｒｅａｌｉｔｙ、拡張現実）装置における頭部着用型ディスプレイを含むが、これらに限定されるものではない。取り外し可能な部材２０は、ヘッドホン及び／又はマイクロフォンを含む。以下、取り外し可能な部材２０として、ヘッドホンを例に挙げて詳細に説明する。図７は、本発明の一実施形態における取り外し可能な部材２０の構造を示す模式図である。
【００３６】
取り外し可能な部材２０はヘッドホンであり、ヘッドホンはイヤピース５０とアーム５１とを備える。イヤピース５０のコードは、アーム５１の下端から延伸し、アーム５１を貫通してアーム５１の上端から引き出される。アーム５１の上端には挿着部品２１が設けられており、挿着部品２１は、コードと接続する。挿着部品２１の表面には、銅メッキなどの金属メッキが施されている。銅メッキにより、挿着部品２１の耐摩耗性が向上し、錆びが出にくくなりかつ導電性が補強される。ヘッドホンは挿着部品２１を介して本体に接続し、導電シート式圧縮バネ３３を介して回路基板に電気的に接続する。装着後の模式図について、図８に示す。
【００３７】
以下、本実施例におけるヘッドホンについて、さらに詳細に説明する。
【００３８】
図２及び図７に示すように、アーム５１は、支持ロッド部５２と、支持ロッド部５２の端部に設けられて収容室を有する接続部５３と、封止カバー５４とを備える。コードは支持ロッド部５２を貫通して接続部５３の収容室に入り込む。封止カバー５４には固定孔が設けられており、挿着部品２１は固定孔内に装着されている。接続部５３の開口部には、収容室を封止するための封止カバー５４が設けられている。一実施形態においては、インサート射出成形により、挿着部品２１と封止カバー５４とが一体的に接続し、ヘッドホンの正極、負極リード線がそれぞれ２つの挿着部品２１に溶着する。封止カバー５４の中央には貫通孔が設けられており、ネジにより封止カバー５４を接続部５３に固定する。ヘッドホンのハウジング１１に対する角度を調整するために、封止カバー５４は接続部５３に対して回転する。本実施例においては、角度の調整後に、ヘッドホンを調整後の角度で固定するために、場合により、接続部５３の収容室の壁に複数の調整用ストッパ板５５が設けられる。接続部５３を、封止カバー５４に対して回転した後、ヘッドホンのハウジング１１に対する角度を調整するために、ストッパ板５５によって接続部５３を回転した後の位置に固定することができる。
【００３９】
図７及び図９に示すように、本実施例において、挿着部品２１は、同軸に接続された第一係止部２１１、第二係止部２１２及び第三係止部２１３を含む。ここで、第三係止部２１３は、イヤピース５０のコードに接続する。ヘッドホンが挿着部品２１を介して本体に接続すると、スライダが第一位置から第二位置にスライドし、出入孔３１が挿着孔１２に対向し、第一係止部２１１が挿着孔１２と出入孔３１を貫通し、第二係止部２１２を伴い挿着孔１２を出入孔３１に挿入する。外力がなくなると、導電シート式圧縮バネ３３の復元力の作用で、スライダが第二位置から第一位置にスライドする。このとき、挿着部品は第一係止部２１１を出入孔３１に貫通させかつ第二係止部２１２を介して係止孔３２に入り込ませる。第一係止部２１１及び第三係止部２１３は、挿着部品２１を係止孔３２内に固定して挿着部品２１に沿って軸方向に移動する。ヘッドホンの挿着部品２１は、導電接続端３３３と接触する。装着が完了した後、ヘッドホンは挿着部品２１及び導電シート式圧縮バネ３３を介して回路基板と電気的に接続する。
【００４０】
なお、取り外し可能な部材２０がマイクロフォンである場合、ヘッドホンのイヤピース５０をマイクに変更すればよく、具体的には、マイクロフォンはマイクとアーム５１とを備える。マイクロフォンとヘッドホンの構造は、イヤピース５０とマイクの構造が異なるほかは同じである。
【００４１】
本願の実施例２の技術的解決手段においては、スライドモジュール３０の操作により、取り外し可能な部材２０と本体との取り外しが実現する。導電シート式圧縮バネ３３は、バネ機能と導電性能を両立でき、導電シート式圧縮バネ３３によって機械的接続と電気的接続を含む接続が実現される。この構成では、取り外し可能な部材２０には外部に露出するコードがないため、接続機構全体の構造が簡略化される。挿着部品は電気を通すために用いられるほか、取り外し可能な部材２０を装置本体に固定することもでき、電気コネクタが省略される。取り外し可能な部材２０は、装置本体に対する角度が調整可能で、調整モードが簡単であり、ユーザが着用し、調整しやすい。
【実施例３】
【００４２】
図１０は、本願の実施例３における接続機構の分解構造を示す模式図であり、図１１は、本願の実施例３におけるスライドモジュール３０の構造を示す模式図であり、図１２は、本願の実施例３におけるアウターカバー１３の構造を示す模式図である。図１、図１０、図１１及び図１２に示すように、実施例３は実施例１を基礎として、接続機構の他の実施形態を示す。具体的には、スライドモジュール３０には、突起構造６０付きの弾性片６１が設けられる。ハウジング１１には、ロッキング溝６２とルーズ溝６３が設けられている。スライドモジュール３０が第一位置から第二位置にスライドする場合、スライドモジュール３０は、弾性片６１を伴い突起構造６０を介してルーズ溝６３内に延伸する。スライドモジュール３０が第二位置から第一位置にスライドする場合、スライドモジュール３０は、弾性片６１を伴い突起構造６０を介してロッキング溝６２内に延伸する。スライドモジュール３０の動きは、ロッキング溝６２によって制限される。図１３には、突起構造６０を介して弾性片６１がロッキング溝６２に入り込む状態を示す。
【００４３】
弾性片６１の突起構造６０を介してロッキング溝６２とルーズ溝６３にそれぞれ入り込み、スライドモジュール３０を第一位置又は第二位置にロックさせることができる。これにより、スライドモジュール３０の往復移動が防止され、取り外し可能な部材２０と本体との接続安定性に対する影響を回避できると同時に、注意喚起の役割も果たす。例えば、弾性片６１の突起構造６０がロッキング溝６２又はルーズ溝６３に入り込む場合及び離脱する場合、クリック音が発生し、ユーザがスライドモジュール３０を押す時にもクリック音が発生する。これは、スライドモジュール３０の弾性片６１が、突起構造６０を介してロッキング溝６２／ルーズ溝６３に入り込む／離脱することを意味する。弾性片６１の突起構造６０がロッキング溝６２／ルーズ溝６３に入り込むと、ロッキング溝６２／ルーズ溝６３は突起構造６０の移動を制限することができ、外力の作用がない状態で、突起構造６０は、ロッキング溝６２／ルーズ溝６３から離脱できない。同時に、弾性片６１の突起構造６０がロッキング溝６２／ルーズ溝６３に入り込む／離脱することを保証する。ここで、突起構造６０とロッキング溝６２／ルーズ溝６３との間の摩擦力を低減するために、ロッキング溝６２／ルーズ溝６３と突起構造６０との接触面は滑らかな曲面とする。
【００４４】
本実施例において、取り外し可能な部材２０と本体との接続が完了すると、電気的接続も可能となる。一実施形態において、図１０に示すように、スライドモジュール３０はさらに、本体に接続された電気コネクタを含む。電気コネクタには、２つの孔状の電気的接続部が設けられており、電気的接続部の接触部分の表面の露出部には銅が付着される。２つの電気的接続部はそれぞれ電気信号の正極および負極に接続する。取り外し可能な部材２０の挿着部品２１の表面には、銅メッキのような金属メッキが施される。取り外し可能な部材２０の挿着部品２１は、電気的接続部を貫通する際に電気的接続部と接触する。それにより、本体から取り外し可能な部材２０に、正負の信号が伝送される。
【００４５】
他の電気的な接続の実施形態においては、図１０、図１１、図１２及び図１４に示すように、ハウジング１１に、さらに電気的接続孔６４が設けられる。取り外し可能な部材２０の挿着部品２１は、ロッキング挿着部品６５及び導電挿着部品６６を含む。スライドモジュール３０が第一位置から第二位置にスライドする場合、出入孔３１は挿着孔１２に対向し、ロッキング挿着部品６５は挿着孔１２を介して出入孔３１内に延伸し、導電挿着部品６６は電気的接続孔６４内に延伸しかつ電気コネクタに接続する。本実施例において、導電挿着部品６６は、Ｐｏｇｏ  ｐｉｎを含むが、これに限定されるものではない。Ｐｏｇｏ  ｐｉｎとは、ピン軸、バネ、ニードルチューブという３つの基本部材が精密機器にリベット押圧されたバネ式プローブであり、その内部には、精密なバネ構造がある。導電挿着部品６６が電気コネクタに接続する場合、ピン軸を介して電気コネクタと接触する。
【００４６】
スライドモジュール３０が第二位置から第一位置にスライドする場合、ロッキング挿着部品６５は、出入孔３１から係止孔３２に入り込む。ロッキング挿着部品６５が係止孔３２に入り込むと位置ロックが実現される。一実施形態では、図１５に示すように、ロッキング挿着部品６５は、同軸に接続された第一係止部２１１、第二係止部２１２と第三係止部２１３を含む。その具体的な特徴は実施例２に示したとおりであり、実施例２の対応する部分の特徴と実施例３の特徴は、相互に参照することができるため、ここでの説明は省略する。
【００４７】
図１１及び図１２に示すように、本実施例において、スライドモジュール３０は、さらにスライドプレート４０と、スライドプレート４０に設けられているトグルポスト４１とを備える。ハウジング１１には、トグル孔１５と、スライドプレート４０と係合して使用されるスライド溝１６が設けられている。トグルポスト４１は、トグル孔１５を貫通して外へ延出し、スライドプレート４０がスライド溝１６を通過してハウジング１１とスライド可能に接続する。具体的には、トグルポスト４１は、スライドプレート４０の側壁に設けられており、スライド溝１６は、２つあり、それぞれハウジング１１のスライドプレート４０に対向する両側壁に対応する位置に設けられている。スライドプレート４０は、側壁を介してスライド溝１６に入り込み、スライドプレート４０はスライド溝１６内でスライド可能である。トグル孔１５は、ハウジング１１のトグルポスト４１に対応する位置に設けられている。トグルポスト４１は、トグル孔１５内でスライド可能である。使用時、外力の作用で、トグルポスト４１をトグル孔１５内でスライドさせ、トグルポスト４１はスライドプレート４０を率いて移動させ、スライドプレート４０は側壁を介してスライド溝１６内でスライドする。
【００４８】
一実施形態では、トグルポスト４１が支持部及び操作部を含む。トグルポスト４１は支持部を介してスライドプレート４０に接続し、操作部はトグル孔１５から延出しかつ取り外し可能な部材２０の方向に折り曲げられ、それによってトグル孔１５の位置する平面と平行になる。操作部がトグル孔１５の位置する平面と平行になることによって、ユーザがトグルポスト４１を使用する際により便利になり、かつスライドモジュール３０とハウジング１１の構造がよりコンパクトになる。同時に操作部に滑り止め構造が設けられるため、より操作しやすい。
【００４９】
図１０、図１２、図１６に示すように、本実施例において、アウターカバー１３には、挿着孔１２、電気的接続孔６４、トグル孔１５、及びスライドプレート４０と係合して使用されるスライド溝１６が設けられている。電気コネクタは、スライドプレート４０とアウターカバー１３との間に設けられている。ロッキング溝６２／ルーズ溝６３は、弾性片６１の突起構造６０の突起方向に応じて、アウターカバー１３又はインナーカバー１４に設けることができる。ロッキング溝６２／ルーズ溝６３の設定位置は、突起構造６０の方向により定められる。
【００５０】
スライドモジュール３０の構造をよりコンパクトにするために、アウターカバー１３に装着溝を設け、スライドモジュール３０は装着溝内に設け、インナーカバー１４により装着溝を閉鎖する。装着溝は、装着チャンバの深さを増大させてスライドモジュール３０の構造をよりコンパクトにすることができる。これにより、取り外し可能な部材２０とスライドモジュール３０との接続がより強固になり、安定する。
【００５１】
本実施例において、インナーカバー１４とアウターカバー１３との接続は、超音波溶着により実現できる。その他の接続として、図１２及び図１６に示すように、アウターカバー１３に、第一位置決めポスト６７を設け、インナーカバー１４に、第二位置決めポスト６８を設ける。スライドモジュール３０には、長円状の位置決め孔６９が設けられて、電気コネクタには装着孔が設けられる。第二位置決めポスト６８は、長円状の位置決め孔６９内に延伸し、順次装着孔及び長円状の位置決め孔６９を貫通する第一位置決めポスト６７とスリーブ状に形成されている。第一位置決めポスト６７と第二位置決めポスト６８を介してアウターカバー１３とインナーカバー１４を接続し、同時に第一位置決めポスト６７及び第二位置決めポスト６８を介してスライドモジュール３０及び電気コネクタに対する位置決めを行うことができる。これによって電気コネクタの移動を防止し、長円状の位置決め孔６９、第一位置決めポスト６７及び第二位置決めポスト６８の組み合わせの作用により、スライドモジュール３０が一定方向のみに移動するように制限される。
【００５２】
次に、取り外し可能な部材２０と本体との着脱について詳細に説明する。
【００５３】
図１７に示すように、装着する場合、まず外力で、スライドモジュール３０を第一位置から第二位置にスライドさせる。出入孔３１は挿着孔１２に対向し、取り外し可能な部材２０のロッキング挿着部品６５を挿着孔によって出入孔３１内に延伸させる。このとき、導電挿着部品６６は電気コネクタに接続し、弾性片６１の突起構造６０はルーズ溝６３に入り込む。図の矢印方向に沿ってスライドモジュール３０を第二位置から第一位置にスライドさせる。ロッキング挿着部品６５が出入孔３１から係止孔３２に入り込み、係止孔３２がロッキング挿着部品６５をロックし、弾性片６１の突起構造６０がロッキング溝６２に入り込んで、装着が完了する。
【００５４】
図１８に示すように、取り外す場合、図の矢印方向に沿ってまず外力でスライドモジュール３０を第一位置から第二位置にスライドさせる。ロッキング挿着部品６５は係止孔３２から出入孔３１に入り込み、出入孔３１は挿着孔１２に対向し、ロッキング挿着部品６５を引き出し、導電挿着部品６６を電気コネクタから分離して取り外しが完了する。
【００５５】
実施例３の特徴部分は実施例２の特徴部分を参照することができるため、ここでの説明は省略する。
【００５６】
本願の実施例３の技術的解決手段は、スライドモジュール３０の操作により、取り外し可能な部材２０と本体との着脱を実現する。挿着部品２１は、機械的接続と電気的接続の両方を実現することができ、取り外し可能な部材２０には、外部に露出するコードがない。スライドモジュール３０は、それ自身が弾性を有するため、バネ部材を省略できる。取り外し可能な部材２０は、装置本体に対する角度が調整可能で、調整モードが簡単であり、ユーザが着用し、調整しやすい。
【実施例４】
【００５７】
実施例４は、実施例１を基礎として、他の接続機構の実施形態を示す。具体的には、図１９〜図２２、図２４〜図２６に示すように、部材Ａを他の部材Ｂに接続して装着するために用いられ、ハウジング１１及び取り外し可能な部材２０を含む接続機構であって、取り外し可能な部材２０にはバックル部材７０が設けられている。ロッキング挿着部品６５と導電挿着部品６６がバックル部材７０に設けられている。スライドモジュール３０は、トグルポスト４１及びスライドプレート４０を含む。スライドプレート４０には、出入孔３１、係止孔３２及び導電挿着部品６６が貫通する貫通孔が設けられている。ここで、スライドプレート４０はトグルポスト４１と一体的に接続している。
【００５８】
トグルポスト４１を押すと、出入孔３１は挿着孔１２に対向する。取り外し可能な部材２０のロッキング挿着部品６５は、挿着孔１２を介して出入孔３１内に延伸し、導電挿着部品６６は、電気的接続孔６４内に延伸して電気コネクタに接続されている。押圧力がなくなると、取り外し可能な部材２０のロッキング挿着部品６５が出入孔３１から係止孔３２に入り込み、それによってスライドモジュール３０が係止孔３２を介して取り外し可能な部材２０をロックさせる。簡単に言えば、トグルポスト４１を押すと、スライドプレート４０がトグルポスト４１と共に移動し、ロッキング挿着部品６５を、係止孔３２から離脱させ又は係止孔３２と係合させ、部材Ａを部材Ｂから取り外し又は部材Ｂに装着する。図１９〜図２２、図２４〜図２６に示すように、接続機構は仮想現実装置に適用され、取り外し可能な部材２０はヘッドホンユニットである。そして、ハウジング１１をヘッドバンドに配置することにより、ヘッドホンユニットがヘッドバンドにおいて着脱しやすくしている。ここで、図１９及び図２０は、ヘッドバンドにおけるヘッドホンユニットの正常な装着状態を示し、ヘッドバンドから取り外した後のヘッドホンユニットを図２６に示す。
【００５９】
トグルポスト４１を操作することにより、バックル部材７０のロッキング挿着部品６５とスライドプレート４０の係止孔３２との係合又は離脱を実現させ、さらに取り外し可能な部材２０とハウジング１１との接続及び離脱を実現する。これに対応して、接続機構によって接続された個々の部品の接続及び取り外しを実現し、ワンタッチ操作が実現され、追加のツールが不要で、操作がしやすくかつ迅速である。
【００６０】
また、図２３に示すように、スライドプレート４０の移動をガイドするために、その縁部にガイドフィン７１が設けられ、ハウジング１１に対応してスライド溝１６が設けられている。ガイドフィン７１は対応するスライド溝１６内に嵌め込まれている。そして、トグルポスト４１の押圧に伴ってスライドプレート４０が移動すると、そのガイドフィン７１とスライド溝１６との組み合わせによって移動のガイドが実現される。これにより、スライドプレート４０の移動が安定して確実に行われ、揺れが防止され、ロッキング挿着部品６５と係止孔３２との位置合わせに有利となる。
【００６１】
図２２及び図２３に示すように、トグルポスト４１は、キー本体７２と、キー本体７２をリセットするための弾性リセット部材７３とを備える。キー本体７２は、一体的に固定された押圧部７２１とストッパ部７２２とを含む。本実施例において、ストッパ部７２２が押圧部７２１の下方に位置する。凹溝７４がハウジング１１の一側面に開設され、凹溝７４の上壁にトグル孔１５が開設されている。押圧部７２１はトグル孔１５内に穿設されかつ押圧部７２１の上端はトグル孔１５から突出しており、押圧部７２１がトグルポスト４１の押圧操作部となり、操作しやすい。
【００６２】
ストッパ部７２２は、凹溝７４の上壁の内側面に当接し、すなわち、凹溝７４の上壁はトグルポスト４１を上方に固定し、ハウジング１１からの離脱を防止する。スライドプレート４０は、凹溝７４内に位置し、かつストッパ部７２２の下方においてストッパ部７２２に固着されている。これによってスライドプレート４０は、トグルポスト４１に固着されてトグルポスト４１の押圧動作に伴って移動する。具体的には、ストッパ部７２２の底面には接続板が形成されており、図２２に示すように、接続板とスライドプレート４０の上端とがネジで接続されている。スライドプレート４０はハウジング１１の凹溝７４内に位置しており、ロッキング挿着部品６５と係合溝とを組み合わせるために、図２１に示すように、ハウジング１１には、ロッキング挿着部品６５が貫通する挿着孔１２が対応して設けられている。
【００６３】
また、ハウジング１１の厚みが限られているため、押圧部７２１とストッパ部７２２はいずれも細長く、ハウジング１１の上面に位置している。本実施例において、トグルポスト４１により押圧部とストッパを一体化させるため、ストッパ部７２２を別途配置する必要がなく、構造がシンプルで、装着しやすい。当然のことながら、トグルポスト４１としては、従来技術における他のトグルポストの構造を採用してもよく、特に限定されない。
【００６４】
弾性リセット部材７３を装着しやすくするために、本実施例において、凹溝７４内に弾性リセット部材収容溝７５がさらに設けられている。弾性リセット部材７３の下端は、弾性リセット部材収容溝７５に嵌め込まれており、その上端はストッパ部７２２の底面に当接する。弾性リセット部材７３は、自身が弾性を有するバネやシリコーン部材などから選択することができ、自身の弾性変形で弾性リセット部材収容溝７５内に圧入される。弾性リセット部材７３は、ストッパ部７２２の底部に２箇所設けられることが好ましく、それによってリセットの信頼性を高めることができる。
【００６５】
さらに、ストッパ部７２２の底面にはガイドポスト７７が設けられる。弾性リセット部材７３はバネで、ガイドポスト７７に挿通することが好ましい。ガイドポスト７７は、ストッパ部７２２、押圧部７２１と一体成形することができる。ガイドポスト７７を設けることにより、弾性リセット部材７３の圧縮及びリセットに対してガイドの役割を果たす一方、弾性リセット部材７３のリセット信頼性を高め、さらにトグルポスト４１の押圧信頼性を高めることができる。
【００６６】
弾性リセット部材７３が確実に装着されるように、弾性リセット部材収容溝７５にはシリコーンスリーブ７６が埋設されており、弾性リセット部材７３の下端はシリコーンスリーブ７６内に配置されている。シリコーンスリーブ７６は、干渉固定により、すなわちそれ自身の弾性変形によって弾性リセット部材収容溝７５に圧入されるため、その固定は簡単で信頼性が高い。弾性リセット部材７３の下端はシリコーンスリーブ７６内に嵌め込まれ、強力な接着剤によって安定性を向上させることができる。
【００６７】
ロッキング挿着部品６５が係止孔３２に挿入された後の位置ロックを実現するための一実施形態においては、図７又は図１５に示すように、ロッキング挿着部品６５は、同軸に接続された第一係止部２１１、第二係止部２１２及び第三係止部２１３を含む。具体的な特徴は実施例２及び実施例３に説明したものを参照することができる。実施例４の特徴的部分は実施例３における特徴を参照にすることができるため、ここでの説明を省略する。
【００６８】
他の実施形態においては、図２１〜図２３に示すように、出入孔３１と係止孔３２は、逆Ｌ字状の係合溝を形成する。すなわち上部の広溝と下部の細溝とを備え、ロッキング挿着部品６５は、スライドプレート４０と直交するＬ字状のバックルである。具体的には、スライドプレート４０は、ハウジング１１の側面に貼り合わせる。本実施例において、スライドプレート４０は、トグルポスト４１の下方に位置し、トグルポスト４が下へ押圧されて上へリセットされると、トグルポスト４１に伴って上下移動する。正常な装着状態では、ロッキング挿着部品６５が係合溝の細溝にスライドプレート４０を引っ掛けて締め付けを行い、トグルポスト４１が下に押圧されるのに伴ってスライドプレート４０が下へ移動する。そして、その上方の広溝をロッキング挿着部品６５に対応させ、ロッキング挿着部品６５と係合溝との間の締め付けを解除した場合、取り外し可能な部材２０を外部へ引き出すことができる。このような構造の係合溝とロッキング挿着部品６５によれば、スライドプレート４０がトグルポスト４１と共に上下移動する際に締め付けと離脱を実現しやすく、取り外し可能な部材２０の取り外しが容易になる。
【００６９】
取り外し可能な部材２０の機能を実現するために、バックル部材７０には、さらに導電挿着部品６６が設けられている。導電挿着部品６６は、ポゴピン装着部７８及びポゴピン装着部７８に取り付けられたポゴピン７９を含む。具体的には、スライドプレート４０に、ポゴピン７９が貫通する貫通孔が設けられている。ハウジング１１には、電気コネクタとポゴピン７９が貫通する電気的接続孔６４が設けられている。電気コネクタには銅露出領域が設けられ、ポゴピン７９は銅露出領域と接触し、通電によって取り外し可能な部材２０の機能が実現される。
【００７０】
取り外し可能な部材２０にバックル部材７０を取り付けるために、具体的には、取り外し可能な部材２０に位置決め板８０が固定して設置される。位置決め板８０により、バックル部材７０を取り外し可能な部材２０内で位置決めする。位置決め板８０には、ロッキング挿着部品６５及び導電挿着部品６６を避けた空洞部８１が設けられている。装着プロセスは、まず、ツールでポゴピン７９をポゴピン装着部７８に圧入し、つづいてバックル部材７０を取り外し可能な部材２０に装着した後、ネジにより、位置決め板８０を、取り外し可能な部材２０に固定する。
【００７１】
また、図２０及び図２１に示すように、ハウジング１１には、さらにスライドプレート４０及び電気コネクタを覆うためのカバープレート４５が設けられ、安全性を確保するために、カバープレート４５をバックルでハウジング１１に係合させることもできる。
【００７２】
本実施例において、ホストは仮想現実装置のホストであってもよく、ハウジング１１はヘッドバンドに位置する。具体的にはヘッドバンドの一部であってもよく、ヘッドバンドと一体的に成形されても、独立した部材としてもよい。取り外し可能な部材２０は、ヘッドホンユニット又はマイクユニットである。ヘッドホンユニットを例として挙げると、本実施例は、ヘッドホンユニットの３方向（すなわちユーザが仮想現実装置を着用する状態で、ヘッドホンユニットがユーザの頭部に対応する前後、上下、左右という３つの方向）への動きを実現することができる。着用の快適性と汎用性を向上させ、それによってヘッドホンユニットの３方向の運動機能を実現し、容易に取り外すことができる。
【００７３】
以下、本実施例のヘッドホンユニットの着脱プロセスを具体的に説明する。ヘッドバンドにおけるヘッドホンユニットの装着状態は、図２４に示される。バックル部材７０のロッキング挿着部品６５（本実施例においてロッキング挿着部品６５は４つ配置されており、それによって係止の信頼性を高める）が、スライドプレート４０の係合溝の下部の細溝に係合することにより、ヘッドホンユニットの固定が実現される。図２５に示すように、トグルポスト４１を下へ押圧すると、弾性リセット部材７３が力を受けて圧縮し、スライドプレート４０は、ハウジング１１のスライド溝１６に導かれてロッキング挿着部品６５が係合溝上部の広溝に位置するまで下へ移動する。このとき、ロッキング挿着部品６５はスライドプレート４０から離脱し、図２５に示すように、既存の状態でヘッドホンユニットを外へ引き出すと、ヘッドホンユニットの取り外しを実現できる。ヘッドホンユニットを装着する場合、同様にトグルポスト４１を押圧してロッキング挿着部品６５を係合溝上部の広溝に対応させ、ロッキング挿着部品６５はヘッドバンドの挿着孔１２を貫通してそのフック部が係合溝上部の広溝に挿入する。このとき、トグルポスト４１を解放してリセットさせて、ロッキング挿着部品６５は係合溝の下部に締め付けられる細溝内にスライドプレート４０を締め付け、ヘッドホンユニットの装着が実現される。
【００７４】
本発明の具体的な実施形態について、図面を参照しながら詳細に説明したが、これらが本発明の技術的範囲を限定するものと解釈されるべきではない。特許請求の範囲に記載された範囲において、創作能力をもたなくとも当業者が行うことができる様々な変更及び変形は、本発明の技術的範囲に属する。本発明の実施例に挙げられる例は、本発明の実施例の技術的特徴を簡単に説明するものであり、当業者が本発明の実施例の技術的特徴を直感的に理解可能となるが、本発明を不適切に限定するものではない。
【００７５】
前述の装置の実施例は例示的なものにすぎず、別々の構成要素として記載された装置は物理的に分離していてもいなくてもよい。当業者は、創作的な能力をもたなくとも理解し、実施することができる。上記内容は、本発明の実施例における複数の好ましい実施例を示しかつ説明したが、前述したように、本発明の実施例は、本明細書の形態に限定されるものではなく、他の実施例を排除するものではない。様々な他の組み合わせ、修正及び環境に使用することができ、かつ本明細書に記載の技術的範囲で、上記教示又は関連分野の技術又は知識によって修正することができる。本発明の技術思想及び技術的範囲から逸脱することなく、当業者が行う修正及び変更は、いずれも本発明の添付の特許請求の範囲に属する。
【符号の説明】
【００７６】
１０  本体
１１  ハウジング
１２  挿着孔
１３  アウターカバー
１４  インナーカバー
１５  トグル孔
１６  スライド溝
２０  取り外し可能な部材
２１  挿着部品
２１１  第一係止部
２１２  第二係止部
２１３  第三係止部
３０  スライドモジュール
３１  出入孔
３２  係止孔
３３  導電シート式圧縮バネ
３３１  自由端
３３２  固定端
３３３  導電接続端
３３４  波状伸縮バネ
３３５  接続孔
４０  スライドプレート
４１  トグルポスト
４２  スライド突起
４３  Ｔ型バッフル
４３１  側板
４３２  セパレータ
４３３  ストッパ部材
４４  固定板
４５  カバープレート
５０  イヤピース
５１  アーム
５２  支持ロッド部
５３  接続部
５４  封止カバー
５５  ストッパ板
６０  突起構造
６１  弾性片
６２  ロッキング溝
６３  ルーズ溝
６４  電気的接続孔
６５  ロッキング挿着部品
６６  導電挿着部品
６７  第一位置決めポスト
６８  第二位置決めポスト
６９  長円状の位置決め孔
７０  バックル部材
７１  ガイドフィン
７２  キー本体
７２１  押圧部
７２２  ストッパ部
７３  弾性リセット部材
７４  凹溝
７５  弾性リセット部材収容溝
７６  シリコーンカバー
７７  ガイドポスト
７８  ポゴピン装着部
７９  ポゴピン
８０  位置決め板
８１  空洞部
【図１】
2019523844.tif 000003
【図２】
2019523844.tif 000004
【図３】
2019523844.tif 000005
【図４】
2019523844.tif 000006
【図５】
2019523844.tif 000007
【図６】
2019523844.tif 000008
【図７】
2019523844.tif 000009
【図８】
2019523844.tif 000010
【図９】
2019523844.tif 000011
【図１０】
2019523844.tif 000012
【図１１】
2019523844.tif 000013
【図１２】
2019523844.tif 000014
【図１３】
2019523844.tif 000015
【図１４】
2019523844.tif 000016
【図１５】
2019523844.tif 000017
【図１６】
2019523844.tif 000018
【図１７】
2019523844.tif 000019
【図１８】
2019523844.tif 000020
【図１９】
2019523844.tif 000021
【図２０】
2019523844.tif 000022
【図２１】
2019523844.tif 000023
【図２２】
2019523844.tif 000024
【図２３】
2019523844.tif 000025
【図２４】
2019523844.tif 000026
【図２５】
2019523844.tif 000027
【図２６】
2019523844.tif 000028
【国際調査報告】
2019523844.tif 000029
2019523844.tif 000030
2019523844.tif 000031
2019523844.tif 000032